(57)【要約】【課題】車両に搭載されたセンサのセンシング範囲を運転支援の観点から提示する技術を提供する。【解決手段】車両１００の周囲の状況を検出するセンサ３０および該車両に搭載された表示装置６０と通信可能に接続され、該車両に搭載される運転支援装置１０は、センサがセンシングするセンシング範囲を取得するセンシング範囲取得部２４と、車両の走行状況を特定する走行状況特定部２３と、車両の走行予定走路を含んだ地図を取得する地図情報取得部２６と、センシング範囲を示す画像であるセンシング範囲画像を、車両の現在位置に対応づけて地図に重畳して表示装置に表示させる制御部２１と、を備え、制御部は、特定された走行状況に応じた表示態様でセンシング範囲画像を表示装置に表示させる。【選択図】図１
2019200461.tif 000002
【特許請求の範囲】
【請求項１】
車両（１００）の周囲の状況を検出するセンサ（３０）および該車両に搭載された表示装置（６０）と通信可能に接続され、該車両に搭載される運転支援装置（１０）であって、
前記センサがセンシングするセンシング範囲を取得するセンシング範囲取得部（２４）と、
前記車両の走行状況を特定する走行状況特定部（２３）と、
前記車両の走行予定走路（Ｌｎ、Ｌｎ１、Ｌｎ２、Ｌｎ３）を含んだ地図（ＭＰ、ＭＰ１、ＭＰ２、ＭＰ３、ＭＰ３ａ、ＭＰ３ｂ、ＭＰ３ｃ）を取得する地図情報取得部（２６）と、
前記センシング範囲（ＳＲ、ＳＲ１）を示す画像であるセンシング範囲画像（ＳＲＩｍｇ）を、前記車両の現在位置に対応づけて前記地図に重畳して前記表示装置に表示させる制御部（２１）と、
を備え、
前記制御部は、特定された前記走行状況に応じた表示態様で前記センシング範囲画像を前記表示装置に表示させる、
運転支援装置。
【請求項２】
請求項１に記載の運転支援装置であって、
前記走行状況特定部は、前記走行状況として前記車両の速度を特定し、
前記制御部は、特定された前記速度に応じて、前記センシング範囲画像の表示態様を異ならせて前記表示装置に表示させる、
運転支援装置。
【請求項３】
請求項１または請求項２に記載の運転支援装置であって、
前記制御部は、特定された前記走行状況が予め定められている走行状況である場合に、特定された前記走行状況が該予め定められている走行状況でない場合に比べて、前記地図を拡大して前記表示装置に表示させる、
運転支援装置。
【請求項４】
請求項３に記載の運転支援装置であって、
前記予め定められている走行状況は、前記車両が低速走行中である状況と、前記車両が交差点ＣＲを右折または左折する状況と、のうちの少なくとも一方である、
運転支援装置。
【請求項５】
請求項１から請求項４までのいずれか一項に記載の運転支援装置であって、
前記現在位置から前記車両の進行方向における予め定められた距離の範囲内に存在する交差点を検出し、前記現在位置から検出された該交差点までの距離を算出する距離算出部（２５）を、さらに備え、
前記制御部は、算出された前記距離に応じて、前記センシング範囲画像の表示態様を異ならせて前記表示装置に表示させる、
運転支援装置。
【請求項６】
請求項１から請求項５までのいずれか一項に記載の運転支援装置であって、
前記センシング範囲取得部は、前記センシング範囲として、前記センサにより検出された物標の複数の代表位置を示す点列を包絡線で結んで得られる領域を取得し、
前記制御部は、前記センシング範囲と、前記センサがセンシングできない範囲とで表示態様を異ならせて前記表示装置に表示させる、
運転支援装置。
【請求項７】
請求項１から請求項６までのいずれか一項に記載の運転支援装置であって、
前記センシング範囲取得部は、前記センサのセンシング可能範囲を取得し、
前記制御部は、前記センシング範囲に加えて、前記センシング可能範囲も前記表示装置に表示させる、
運転支援装置。
【発明の詳細な説明】
【技術分野】
【０００１】
本開示は、車両の運転支援に関する。
【背景技術】
【０００２】
従来、車両の運転者に対して様々な情報を提供する技術が提案されている。例えば、特許文献１には、車両の周囲の状況を運転者に提示する技術として、車両の現在位置付近を示す地図上に、車両に搭載されたレーダ装置のセンシング範囲を重畳して表示させる技術が提案されている。
【先行技術文献】
【特許文献】
【０００３】
【特許文献１】特開２０１２−３８１３８号公報
【発明の概要】
【発明が解決しようとする課題】
【０００４】
しかしながら、特許文献１に記載の技術では、レーダ装置のセンシング範囲は、単に地図に重ねて表示されているに過ぎない。車両の運転支援では、様々な走行状況の下で運転者の運転を支援しようとする。したがって、車両に搭載されたセンサのセンシング範囲を運転支援の観点から提示する技術が望まれている。
【課題を解決するための手段】
【０００５】
本開示は、以下の形態として実現することが可能である。
【０００６】
本開示の一実施形態によれば、運転支援装置が提供される。この運転支援装置（１０）は、車両（１００）の周囲の状況を検出するセンサ（３０）および該車両に搭載された表示装置（６０）と通信可能に接続され、該車両に搭載される運転支援装置（１０）であって、前記センサのセンシング範囲を取得するセンシング範囲取得部（２４）と；前記車両の走行状況を特定する走行状況特定部（２３）と；前記車両の走行予定走路（Ｌｎ、Ｌｎ１、Ｌｎ２、Ｌｎ３）を含んだ地図（ＭＰ、ＭＰ１、ＭＰ２、ＭＰ３、ＭＰ３ａ、ＭＰ３ｂ、ＭＰ３ｃ）を取得する地図情報取得部（２６）と；前記センシング範囲（ＳＲ、ＳＲ１）を示す画像であるセンシング範囲画像（ＳＲＩｍｇ）を、前記車両の現在位置に対応づけて前記地図に重畳して前記表示装置に表示させる制御部（２１）と；を備える。ここで、前記制御部は、特定された前記走行状況に応じた表示態様で前記センシング範囲画像を前記表示装置に表示させる。
【０００７】
この形態の運転支援装置によれば、特定された走行状況に応じた表示態様でセンシング範囲画像を表示装置に表示させるので、センシング範囲を適切に提示でき、運転支援に資することができる。
【０００８】
本開示は、運転支援装置以外の種々の形態で実現することも可能である。例えば、運転支援装置を備えた車両、運転支援方法、かかる方法を実現するためのコンピュータプログラム、かかるコンピュータプログラムを記憶した記憶媒体等の形態で実現することができる。
【図面の簡単な説明】
【０００９】
【図１】本開示における一実施形態としての運転支援装置の概略構成を示すブロック図。
【図２】センシング範囲画像の一例を模式的に示す説明図。
【図３】センシング範囲表示処理の処理手順を示すフローチャート。
【図４】直進高速時におけるセンシング範囲表示画像の一例を模式的に示す説明図。
【図５】直進低速時におけるセンシング範囲表示画像の一例を模式的に示す説明図。
【図６】交差点右左折時におけるセンシング範囲表示画像の一例を模式的に示す説明図。
【図７】第２実施形態におけるセンシング範囲表示処理の処理手順を示すフローチャート。
【図８】交差点右左折時におけるセンシング範囲表示画像の一例を模式的に示す説明図。
【図９】交差点右左折時におけるセンシング範囲表示画像の一例を模式的に示す説明図。
【図１０】交差点右左折時におけるセンシング範囲表示画像の一例を模式的に示す説明図。
【図１１】他の実施形態１におけるセンシング範囲表示画像の一例を模式的に示す説明図。
【図１２】他の実施形態２におけるセンシング範囲表示画像の一例を模式的に示す説明図。
【図１３】他の実施形態３におけるセンシング範囲表示画像の一例を模式的に示す説明図。
【発明を実施するための形態】
【００１０】
Ａ．第１実施形態：
Ａ１．装置構成：
図１に示すように、本開示の「運転支援装置」に相当する運転支援ＥＣＵ（Ｅｌｅｃｔｒｏｎｉｃ  Ｃｏｎｔｒｏｌ  Ｕｎｉｔ）１０は、車両１００に搭載され、車両１００の運転を支援する。上述の「運転の支援」とは、車両１００のエンジン制御とブレーキ制御と操舵制御とを運転者に代わって自動的に実行すること、或いは運転者による制御を支援するように実行することを意味する。
【００１１】
運転支援ＥＣＵ１０は、ＣＰＵ２０と、メモリ１２と、入出力インターフェース１１とを備える。ＣＰＵ２０、メモリ１２、および入出力インターフェース１１は、バス１５を介して双方向に通信可能に接続されている。
【００１２】
車両１００は、運転支援ＥＣＵ１０のほか、センサ部３０と、検出部４０と、アクチュエータ群５０と、表示装置６０と、入力部７０と、無線通信部８０と、を備える。
【００１３】
センサ部３０は、車両１００の周囲に存在する物体の検出や測拒を行うことにより、車両１００の周囲の状況を検出する。センサ部３０は、ミリ波レーダ３１と、カメラ３２とを備える。
【００１４】
ミリ波レーダ３１は、ミリ波を射出し、物体によって反射された反射波を受信することによって物体の位置および距離を検出する。なお、ミリ波レーダ３１が検出する「物体」とは、より正確には、複数の検出点（物標）の集合である。本実施形態において、ミリ波レーダ３１は、車両１００の図示しないフロントバンパの中央、フロントバンパにおける車両１００の進行方向左側および右側、車両１００の左側側面中央部、車両１００の右側側面中央部、およびリアバンパの中央の合計６箇所に配置されている。各ミリ波レーダ３１から出力される検出信号は、物体の複数の代表位置を示す点列からなる信号であり、位置情報としての（ｘ、ｙ、ｚ）座標情報、車両１００に対する検出点の相対速度情報が含まれる。なお、センサ部３０は、ミリ波レーダ３１に代えて、または、ミリ波レーダ３１に加えて、ライダー（ＬＩＤＡＲ：レーザレーダ）や、超音波センサを備えていてもよい。
【００１５】
カメラ３２は、車両１００の車室内の前方に取り付けられ、車両１００の前方に存在する物体や道路設備（車線、交差点および信号機等）等を撮像する。カメラ３２として、単眼カメラやステレオカメラが使用可能である。
【００１６】
検出部４０は、車両１００の走行状態を検出する。検出部４０は、車速検出部４１および位置検出部４２により構成されている。車速検出部４１は、車両１００の駆動輪の回転速度を用いて、車両１００の速度を検出する。位置検出部４２は、ＧＮＳＳ（Ｇｌｏｂａｌ  Ｎａｖｉｇａｔｉｏｎ  Ｓａｔｅｌｌｉｔｅ  Ｓｙｓｔｅｍ）を構成する人工衛星から受信する電波に基づき、車両１００の現在位置を検出する。なお、検出部４０は、車両１００の速度および現在位置のほか、加速度、ヨーレート（回転角速度）、操舵角（ステアリングホール舵角）等を検出可能なセンサを含んでいてもよい。
【００１７】
アクチュエータ群５０は、車両１００の運転を行うためのアクチュエータである。アクチュエータ群５０は、例えば、車両１００に搭載された図示しない操舵装置、制動装置、駆動装置、および動力装置を動作させるためのアクチュエータを含む。
【００１８】
表示装置６０は、車両１００の乗員（主に運転者）に対して、画像を用いて各種の情報を表示する装置である。表示装置６０は、液晶パネル等を用いたディスプレイの他、例えば、ＨＵＤ（Ｈｅａｄ  Ｕｐ  Ｄｉｓｐｌａｙ）や、インストルメントパネルに設けられた表示装置、ナビゲーション装置の表示画面を採用してもよい。
【００１９】
入力部７０は、車両１００の乗員から乗員の意思決定を取得するための装置である。入力部７０は、例えば、ハンドル、レバー、ボタン、ペダル、音声入力装置を含む。本実施形態において、入力部７０は、少なくとも自動運転操作の取消および右折動作の実行等の指示を受け付ける。
【００２０】
無線通信部８０は、車両１００と情報センター５００との間で無線通信を行って、情報センター５００から種々の情報を取得する。無線通信部８０は、例えば、情報センター５００から、交通情報、天気情報、事故情報、障害物情報、交通規制情報を取得する。なお、無線通信部８０は、情報センター５００に代えて、車両１００とは異なる他車両から車車間通信により、あるいは、道路の各所に設けられた路側機から路車間通信により、これらの少なくとも一部の情報を取得してもよい。
【００２１】
運転支援ＥＣＵ１０の入出力インターフェース１１は、上述したミリ波レーダ３１、カメラ３２、車速検出部４１、位置検出部４２、アクチュエータ群５０、表示装置６０、入力部７０、および無線通信部８０にそれぞれ制御信号線を介して接続されている。ミリ波レーダ３１、カメラ３２、車速検出部４１、位置検出部４２、および入力部７０による検出結果は、入出力インターフェース１１を介してＣＰＵ２０に入力される。アクチュエータ群５０、および表示装置６０に対しては、ＣＰＵ２０の指示に基づいて入出力インターフェース１１を介して駆動制御信号が出力される。
【００２２】
ＣＰＵ２０は、パス策定部２２と、走行状況特定部２３と、センシング範囲取得部２４と、距離算出部２５と、地図情報取得部２６と、車両運転部２７と、制御部２１とを備える。パス策定部２２、走行状況特定部２３、センシング範囲取得部２４、距離算出部２５、地図情報取得部２６、車両運転部２７、および制御部２１としての機能は、いずれも、ＣＰＵ２０が、メモリ１２に格納されている制御プログラムを実行することにより実現される。
【００２３】
メモリ１２は、ＲＯＭとＲＡＭとを含んでいる。メモリ１２には、道路情報ＤＢが格納されている。道路情報ＤＢには、例えば、各交差点および各道路について、道路種別、車線数、制限速度、横断歩道の有無、信号の有無、一時停止線の有無などの情報が含まれている。なお、道路情報ＤＢは、車両１００の移動に伴い、情報センター５００から無線通信部８０を介して逐次取得されてもよい。
【００２４】
パス策定部２２は、メモリ１２に格納された道路情報ＤＢに基づき、乗員によって指定された目的地までの経路を探索するとともに、車両１００が進行するパスを策定する。本実施形態において、「パス」とは、探索された経路上、実際に車両１００が走行する走路（以下、「走行予定走路」と呼ぶ）を意味する。パス策定部２２は、位置検出部４２によって検出される車両１００の現在位置、センサ部３０によって検出される車両１００の周辺環境および物標、および無線通信部８０を介して情報センター５００から取得される障害物情報などに応じて発生する理由に従い、車両１００の自動走行中に逐次パスを策定し、車両１００が策定されたパスを走行するための運転操作を決定する。かかる運転操作には、例えば、右方向への操舵、左方向への操舵、加速、減速、バック、停止、といった操作が含まれる。また、これらの運転操作が行われる理由には、例えば、右折、左折、交差点直進、車線変更、合流、追い越し、緊急停止、障害物回避などがある。
【００２５】
走行状況特定部２３は、センサ部３０および検出部４０の検出結果を利用して、車両１００の走行状況を特定する。本実施形態において、「走行状況」とは、車両１００の周辺環境に関する状況と、車両１００の走行状態に関する状況と、から導かれる状況を意味する。走行状況としては、例えば、交差点を低速で直進する状況、交差点を左折する状況、横断歩道の手前で停止している状況、車両１００の前方を走行している前方車両に追従して走行している状況等が該当する。本実施形態では、走行状況として、車両１００が低速走行中である状況、および交差点を右折または左折する状況が特定される。走行状況特定部２３は、入出力インターフェース１１を介して検出部４０から車両１００の車速、加速度、操舵角等の検出結果をそれぞれ取得する。また、走行状況特定部２３は、パス策定部２２から車両１００の運転操作に関する情報を取得する。そして、走行状況特定部２３は、取得した検出結果および情報に基づき、走行状況を特定する。
【００２６】
センシング範囲取得部２４は、センサ部３０のセンシング範囲を取得する。本実施形態において、「センシング範囲」とは、センサ部３０が備える各センサがセンシングする範囲を意味する。本実施形態では、ミリ波レーダ３１がセンシングするセンシング範囲を意味する。センシング範囲取得部２４は、入出力インターフェース１１を介してミリ波レーダ３１の検出結果を取得する。その後、センシング範囲取得部２４は、ミリ波レーダ３１の検出結果に示される物体の複数の代表位置を示す点列を包絡線で結んで得られる領域をセンシング範囲として取得する。なお、センシング範囲取得部２４は、カメラ３２の撮像画像を取得して、撮像画像に示される物体の輪郭を構成する点を線分で結んで得られる領域をセンシング範囲として取得してもよいし、物体の輪郭に沿った領域をセンシング範囲として取得してもよいし、撮像画像に示される複数の物体の重心位置の点同士を線分で結んで得られる領域をセンシング範囲として取得してもよい。
【００２７】
距離算出部２５は、走行予定走路において現在位置から予め定められた距離の範囲内に、予め定めた道路の特定部位、例えば、交差点が存在する場合に、車両１００の現在位置から交差点までの距離を算出する。距離算出部２５は、道路情報ＤＢを参照して交差点の位置を特定し、特定された交差点の位置と、車両１００の現在位置と、の間の距離を算出する。なお、上述の特定部位は、交差点に代えて、または、交差点に加えて、信号機、横断歩道等の他の任意の道路設備が施されている部位であってもよい。
【００２８】
地図情報取得部２６は、無線通信部８０を介して情報センター５００から車両１００の走行予定走路を示す地図を取得する。地図情報取得部２６は、情報センター５００から取得した地図を用いて、車両１００の走行に伴う現在位置を含む地図を適時生成する。生成された地図は、後述のセンシング範囲表示処理において、センシング範囲画像を表示する際に用いられる。なお、地図情報取得部２６は、情報センター５００に代えて、車両１００に搭載されたナビゲーション装置から地図を取得してもよいし、メモリ１２に地図を予め格納しておき、メモリ１２から地図を取得してもよい。
【００２９】
車両運転部２７は、制御部２１からの指示に基づきアクチュエータ群５０を駆動して、車両１００を自動運転する。本実施形態において、「自動運転」とは、米国運輸省道路交通安全局（ＮＨＴＳＡ）によって定められたレベル１以上、好ましくはレベル２以上の自動運転を意味する。
【００３０】
制御部２１は、各部２２〜２７を統合制御する。また、制御部２１は、パス策定部２２によって決定された運転操作に基づき、車両運転部２７に車両１００の制御を実行させる。このとき、制御部２１は、後述のセンシング範囲表示処理を実行することにより、センシング範囲を示す画像（以下、「センシング範囲画像」と呼ぶ）を、車両１００の現在位置付近を示す地図とともに、表示装置６０に表示させる。
【００３１】
図２では、上段左にセンシング範囲画像ＳＲＩｍｇを、上段右に地図画像ＭＰＩｍｇを、下段にセンシング範囲表示画像ＣＩｍｇを、それぞれ示している。センシング範囲画像ＳＲＩｍｇは、センサ部３０のセンシング範囲ＳＲを模式的に示す画像である。制御部２１は、センサ部３０を構成する各センサ３１および３２の各センシング範囲をそれぞれセンシング範囲として表示させるのではなく、各センサ３１および３２の各センシング範囲を全体で１つのまとまった領域になるようにして表示させる。例えば、制御部２１は、各ミリ波レーダ３１によって検出される複数の物標の代表点同士を線分で結んで得られる単一の領域をセンシング範囲として表示してもよい。物標の代表点としては、例えば、ミリ波レーダ３１から最も遠い位置の点としてもよいし、物標の重心位置の点としてもよい。また、例えば、車両１００の周囲に物標が存在しない場合には、センサ部３０がセンシング可能な範囲をセンシング範囲として表示してもよい。
【００３２】
地図画像ＭＰＩｍｇは、車両１００の走行予定走路Ｌｎを含んだ地図を示す画像である。走行予定走路Ｌｎは、道路中央の区画線よりも左側の車線である。本実施形態では、車両１００などの車両は、左側通行を行うとして説明する。地図画像ＭＰＩｍｇは、地図情報取得部２６により、車両１００の走行に伴い、車両１００の現在位置を含むように適時生成される画像である。
【００３３】
センシング範囲表示画像ＣＩｍｇは、後述のセンシング範囲表示処理において表示装置６０に表示される表示画像である。センシング範囲表示画像ＣＩｍｇは、センシング範囲画像ＳＲＩｍｇと、地図画像ＭＰＩｍｇとにより構成される。制御部２１は、センシング範囲画像ＳＲＩｍｇを地図画像ＭＰＩｍｇに重畳して表示させることにより、センシング範囲表示画像ＣＩｍｇを表示装置６０に表示させる。このとき、制御部２１は、車両１００の走行状況に応じた表示態様でセンシング範囲画像ＳＲＩｍｇを表示装置６０に表示させる。本実施形態では、車両１００の車速や、車両１００が交差点を右折または左折する状況に応じて、センシング範囲画像ＳＲＩｍｇの表示態様が異なる。
【００３４】
本開示において、センサ部３０は、課題を解決するための手段におけるセンサの下位概念に相当する。
【００３５】
Ａ２．センシング範囲表示処理：
図３に示すセンシング範囲表示処理は、車両１００の目的地が設定されて、車両１００が目的地に向かって走行を開始させると開始される。制御部２１は、車両１００が自動運転されているか否かを判定する（ステップＳ１００）。車両１００が自動運転されていないと判定された場合（ステップＳ１００：ＮＯ）、すなわち、乗員が自ら車両１００の運転を行っている場合、制御部２１は、地図画像ＭＰＩｍｇを表示装置６０に表示させる（ステップＳ１６０）。ステップＳ１６０では、地図ＭＰのみが表示され、センシング範囲ＳＲは表示されない。また、ステップＳ１６０では、制御部２１は、地図ＭＰの縦方向、横方向のいずれに対しても拡大および縮小しないで、地図ＭＰを表示させる。なお、以降の説明では、ステップＳ１６０で表示する地図ＭＰを基準地図ＭＰと呼ぶ場合がある。
【００３６】
上述のステップＳ１００において、車両１００が自動運転されていると判定された場合（ステップＳ１００：ＹＥＳ）、走行状況特定部２３は、車両１００の走行状況を特定する（ステップＳ１０５）。具体的には、走行状況特定部２３は、入出力インターフェース１１を介して車速検出部４１から車両１００の速度を取得する。また、走行状況特定部２３は、パス策定部２２から次に実行される運転操作を取得する。
【００３７】
走行状況特定部２３は、取得された運転操作から車両１００がレーントレースを実行中であるか否かを判定する（ステップＳ１１０）。本実施形態において、「レーントレース」とは、車両１００が走行予定走路Ｌｎを道なりに走行するように操舵を制御する走行を意味する。ステップＳ１１０では、ステップＳ１１０において取得された運転操作を用いて、車両１００がレーントレースを実行中であるか否かが特定される。
【００３８】
車両１００がレーントレースを実行中でないと判定された場合（ステップＳ１１０：ＮＯ）、走行状況特定部２３は、車両１００が低速走行中であるか否かを判定する（ステップＳ１４５）。具体的には、走行状況特定部２３は、パス策定部２２から車両１００の走行中の走路の種別を取得して、車両１００が高速道路と、一般道路と、のうちのいずれの道路を走行中であるかを特定する。車両１００が一般道路を走行中であり、かつ、上述のステップＳ１０５において取得した車速が時速４０キロメートル（ｋｍ／ｈ）以下である場合、走行状況特定部２３は、車両１００が低速走行中であると判定する。他方、車両１００が高速道路を走行中である場合、または、車両１００が一般道路を走行中であり、車速が時速４０キロメートル（ｋｍ／ｈ）よりも大きい場合には、走行状況特定部２３は、車両１００が低速走行中でないと判定する。
【００３９】
上述のステップＳ１４５において、車両１００が低速走行中でないと判定された場合（ステップＳ１４５：ＮＯ）、制御部２１は、センシング範囲表示画像ＣＩｍｇを直進高速時表示で表示させる処理を実行する（ステップＳ１５５）。
【００４０】
図４を用いて、直進高速時表示処理における画像表示について説明する。図４に示すように、制御部２１は、センシング範囲表示画像ＣＩｍｇ１として、地図ＭＰ１と、センシング範囲ＳＲ１とを表示させる。制御部２１は、入出力インターフェース１１を介して位置検出部４２から車両１００の現在位置を取得し、取得された現在位置にセンシング範囲ＳＲ１を対応づけて表示させる。また、上述のように、制御部２１は、センシング範囲ＳＲ１を地図ＭＰ１に重畳して表示させる。このとき、制御部２１は、取得された現在位置に対応する地図ＭＰ１上の位置に、車両１００を示す画像を表示させる。図４では、車両１００が、図４の下方側から上方側に向かって走行している様子が示されている。
【００４１】
直進高速時表示処理において、制御部２１は、センシング範囲表示画像ＣＩｍｇ１を直進高速走行に適した表示態様で表示させる。具体的には、制御部２１は、車両１００の進行方向（図４の上下方向）に対して、基準地図ＭＰを予め定められた拡大率で拡縮した地図ＭＰ１を表示させる。本実施形態において、ステップＳ１５５における「予め定められた拡大率」とは、基準地図ＭＰの拡大率を１００％とした場合における５０％を意味する。すなわち、地図ＭＰ１は、基準地図ＭＰを縦方向に５０％に縮小した地図である。地図ＭＰ１を車両１００の進行方向に縮小して表示するのは、車両１００が高速走行中であるので、車両１００の運転者が、車両１００の進行方向において走行予定走路Ｌｎ１をより遠くまで視認できるようにするためであるという理由からである。なお、直進高速時表示処理では、制御部２１は、車両１００の左右方向（図４の左右方向）に地図ＭＰ１を縮小しない。なお、上述の拡大率は、５０％に代えて、他の任意の値を設定してもよい。
【００４２】
図４に示すように、制御部２１は、地図ＭＰ１のスケールを特定する情報であるスケール表示Ｓｃ１を表示してもよい。スケール表示Ｓｃ１を表示することにより、車両１００の運転者は、地図ＭＰ１の縮尺を容易に理解できる。
【００４３】
なお、センシング範囲ＳＲ１を車両１００の現在位置に対応づけて表示する方法には、センシング範囲表示画像ＣＩｍｇ１に車両１００の位置を表示し、かかる位置に対応づけてセンシング範囲ＳＲ１を表示する方法が含まれる。
【００４４】
図３に示すように、上述のステップＳ１４５において、車両１００が低速走行中であると判定された場合（ステップＳ１４５：ＹＥＳ）、制御部２１は、センシング範囲表示画像ＣＩｍｇを直進低速時表示で表示させる処理を実行する（ステップＳ１５０）。
【００４５】
図５を用いて、直進低速時表示処理における画像表示について説明する。図５に示すように、制御部２１は、センシング範囲表示画像ＣＩｍｇ２として、地図ＭＰ２と、センシング範囲ＳＲ１とを表示装置６０に表示させる。センシング範囲ＳＲ１は、図４に示す直進高速時におけるセンシング範囲と同じであるので、詳細な説明は省略する。
【００４６】
直進低速時表示処理において、制御部２１は、センシング範囲表示画像ＣＩｍｇ２を直進低速走行に適した表示態様で表示させる。具体的には、制御部２１は、車両１００の進行方向（図５の上下方向）および車両１００の進行方向に垂直な方向（図５の左右方向）に対して、基準地図ＭＰを予め定められた拡大率で拡縮した地図ＭＰ２を表示させる。本実施形態において、ステップＳ１５０における「予め定められた拡大率」とは、基準地図ＭＰの拡大率を１００％とした場合における２００％を意味する。すなわち、地図ＭＰ２は、基準地図ＭＰを縦方向および横方向のいずれに対しても２００％に拡大した地図である。上述のように、直進高速時表示処理では基準地図ＭＰが縮小して表示されるので、直進低速時表示処理において、地図ＭＰ２は、直進高速時に比べて拡大して表示される。なお、上述の予め定められた拡大率は、２００％に代えて、他の任意の値を設定してもよい。
【００４７】
直進低速時表示処理において、直進高速時表示処理とは異なり、車両１００の左右方向に対しても地図ＭＰ２を拡大して表示するのは、車両１００の運転者が、車両１００の進行方向に加えて、左右方向の状況も精度よく視認できるようにするという理由からである。なお、図５に示すように、制御部２１は、直進高速時表示処理と同様に、地図ＭＰ２のスケールを特定する情報を示すスケール表示Ｓｃ２を表示してもよい。
【００４８】
図３に示すように、上述のステップＳ１１０において、車両１００がレーントレースを実行中であると判定された場合（ステップＳ１１０：ＹＥＳ）、走行状況特定部２３は、入出力インターフェース１１を介して位置検出部４２から取得した車両１００の現在位置およびパス策定部２２により策定されたパスを用いて、車両１００が交差点付近を走行するか否かを判定する（ステップＳ１１５）。交差点付近を走行しないと判定された場合（ステップＳ１１５：ＮＯ）、上述のステップＳ１４５が実行される。
【００４９】
上述のステップＳ１１５において、交差点付近を走行すると判定された場合（ステップＳ１１５：ＹＥＳ）、走行状況特定部２３は、パス策定部２２から次に実行される運転操作を取得して、車両１００が交差点を右折または左折するか否かを判定する（ステップＳ１２０）。右左折しないと判定された場合（ステップＳ１２０：ＮＯ）、上述のステップＳ１４５が実行される。他方、右折または左折すると判定された場合（ステップＳ１２０：ＹＥＳ）、制御部２１は、センシング範囲表示画像ＣＩｍｇを交差点右左折表示で表示させる処理を実行する（ステップＳ１２５）。
【００５０】
図６を用いて、交差点右左折表示処理における画像表示について説明する。図６に示すように、制御部２１は、センシング範囲表示画像ＣＩｍｇ３として、地図ＭＰ３と、センシング範囲ＳＲ１とを表示装置６０に表示させる。センシング範囲ＳＲ１は、図４および図５に示すセンシング範囲と同じであるので、詳細な説明は省略する。図６に示す例では、車両１００は、走行中の走路Ｌｎ２を交差点ＣＲまで走行した後、破線矢印に示すように交差点ＣＲを右折して走行予定走路Ｌｎ３を走行しようとしている。
【００５１】
交差点右左折表示処理において、制御部２１は、センシング範囲表示画像ＣＩｍｇ３を交差点右左折走行に適した表示態様で表示させる。具体的には、制御部２１は、直進低速時表示処理と同様に、車両１００の進行方向（図６の上下方向）および車両１００の進行方向に垂直な方向（図６の左右方向）に対して、基準地図ＭＰを所定の拡大率（２００％）で拡大した地図ＭＰ３を表示させる。このため、車両１００の運転者は、車両１００が右折を実行しようとする交差点ＣＲの状況を精度よく視認できる。なお、図６に示すように、制御部２１は、地図ＭＰ３のスケールを特定する情報を示すスケール表示Ｓｃ３を表示してもよい。また、交差点右左折表示処理と直進低速時表示処理とで拡大率を異ならせてもよい。
【００５２】
図３に示すように、車両運転部２７は、車両１００の乗員から右左折の実行を許可されたか否かを判定する（ステップＳ１３０）。本実施形態において、「右左折の実行の許可」とは、自動運転による車両１００の右折または左折の実行を許可することを意味する。すなわち、車両１００の乗員から右左折の実行が許可されれば、車両１００は自動運転により右折または左折を実行する。他方、車両１００の乗員から右左折の実行が許可されなければ、車両１００は運転者による手動運転により右折または左折を実行する。
【００５３】
車両１００の乗員から右左折の実行の許可が得られたか否かを判定するのは、以下の理由からである。図４、図５および図６に示すように、センシング範囲ＳＲ１は、車両１００の進行方向に比べて、車両１００の左右方向において小さい。したがって、車両１００の左右方向においては、センシング範囲ＳＲ１と、運転者が視認できる範囲とでは、運転者が視認できる範囲が広くなることがある。車両１００が自動運転により右折または左折を実行する場合には、センシング範囲ＳＲ１を用いて車両１００の周囲の安全確認が実行されるので、車両１００の運転者に対して、自動運転により右折または左折を実行してもよいか否かを判定させている。なお、センシング範囲ＳＲ１が比較的広い場合には、ステップＳ１３０を省略してもよい。
【００５４】
右左折の実行が許可されたと判定された場合（ステップＳ１３０：ＹＥＳ）、車両運転部２７は、自動運転を継続する（ステップＳ１３５）。すなわち、車両運転部２７は、車両１００を自動走行により、交差点の右左折を実行させる。
【００５５】
上述のステップＳ１３０において、右左折の実行が許可されていないと判定された場合（ステップＳ１３０：ＮＯ）、制御部２１は、許可催促表示を表示させる（ステップＳ１４０）。本実施形態において、「許可催促表示」とは、上述の「右左折の実行の許可」を促すための報知表示を意味する。ステップＳ１４０の実行後、上述のステップＳ１３０に戻り、右左折の実行が許可されるまで、ステップＳ１３０およびステップＳ１４０が繰り返し実行される。
【００５６】
上述のステップＳ１３５の実行後、または、ステップＳ１５０の実行後、または、ステップＳ１５５の実行後、または、ステップＳ１６０の実行後、制御部２１は、車両１００の走行を終了するか否かを判定する（ステップＳ１６５）。車両１００が走行を継続する場合（ステップＳ１６５：ＮＯ）、上述のステップＳ１００に戻る。他方、車両１００が走行を終了する場合（ステップＳ１６５：ＹＥＳ）、制御部２１は、センシング範囲表示処理を終了する。
【００５７】
以上の構成を有する第１実施形態の運転支援ＥＣＵ１０によれば、特定された走行状況に応じた表示態様でセンシング範囲画像ＳＲＩｍｇを表示装置６０に表示させるので、センシング範囲ＳＲ、ＳＲ１を適切に提示でき、運転支援に資することができる。また、走行状況として車両１００の速度を特定し、特定された速度に応じて、センシング範囲表示画像ＣＩｍｇ１、ＣＩｍｇ２およびＣＩｍｇ３の表示態様を異ならせて表示装置６０に表示させるので、センシング範囲ＳＲ、ＳＲ１を走行状況に応じて提示できる。車両１００が低速走行中である場合、低速走行中でない場合に比べて地図ＭＰ２を拡大して表示し、また、車両１００が交差点ＣＲを右折または左折する場合、交差点ＣＲを右折および左折しない場合に比べて地図ＭＰ３を拡大して表示装置６０に表示させるので、車両１００の運転者は、車両１００の走行予定走路Ｌｎ、Ｌｎ１、Ｌｎ３の安全確認を容易に実行できる。
【００５８】
Ｂ．第２実施形態：
第２実施形態における運転支援ＥＣＵ１０は、図１に示す第１実施形態における運転支援ＥＣＵ１０と同様であるので、その詳細な説明は省略する。
【００５９】
図７に示す第２実施形態におけるセンシング範囲表示処理は、ステップＳ１２１を追加して実行する点と、ステップＳ１２５に代えてステップＳ１２５ａを実行する点とにおいて、第１実施形態におけるセンシング範囲表示処理と異なる。第２実施形態のセンシング範囲表示処理のその他の手順は、第１実施形態のセンシング範囲表示処理と同じであるので、同一の手順には同一の符号を付し、その詳細な説明は省略する。
【００６０】
第２実施形態におけるセンシング範囲表示処理では、現在位置から車両１００が走行予定の交差点ＣＲまでの距離に応じて、センシング範囲表示画像の表示を切り替える。具体的には、図７に示すように、車両１００が交差点ＣＲ付近を走行すると判定され（ステップＳ１１５：ＹＥＳ）、交差点ＣＲを右折または左折すると判定された場合（ステップＳ１２０：ＹＥＳ）、距離算出部２５は、現在位置から交差点ＣＲまでの距離を算出する（ステップＳ１２１）。具体的には、距離算出部２５は、入出力インターフェース１１を介して位置検出部４２から車両１００の現在位置を取得する。また、距離算出部２５は、パス策定部２２により策定されたパスを用いて、交差点ＣＲの位置を特定する。そして、距離算出部２５は、取得された現在位置と、特定された交差点ＣＲの位置と、の間の距離を算出する。
【００６１】
制御部２１は、センシング範囲表示画像ＣＩｍｇ３を交差点右左折表示で表示させる処理を実行する（ステップＳ１２５ａ）。具体的には、まず、制御部２１は、上述のステップＳ１２１において算出された交差点ＣＲまでの距離が、予め定められた３段階の距離の範囲のうち、いずれの範囲内の距離であるかを特定する。本実施形態において、「予め定められた３段階の距離の範囲」とは、交差点ＣＲまでの距離が１５０メートルから２００メートルまでの距離、交差点ＣＲまでの距離が８０メートルから１５０メートルまでの距離、および交差点ＣＲまでの距離が８０メートルまでの距離を意味する。そして、制御部２１は、特定された段階に応じた表示態様でセンシング範囲表示画像ＣＩｍｇ３を表示させる。
【００６２】
図８を用いて、交差点ＣＲまでの距離が１５０メートルから２００メートルまでの距離である場合における画像表示について説明する。制御部２１は、センシング範囲表示画像ＣＩｍｇ３ａとして、地図ＭＰ３ａと、センシング範囲ＳＲ１とを表示装置６０に表示させる。センシング範囲ＳＲ１は、図６に示す第１実施形態における交差点右左折表示におけるセンシング範囲と同じであるので、詳細な説明は省略する。交差点ＣＲまでの距離が１５０メートルから２００メートルまでの距離である場合、車両１００が交差点ＣＲに接近しているタイミングである。したがって、制御部２１は、基準地図ＭＰを車両１００の進行方向（図８の上下方向）に対して所定の拡大率（例えば、５０％）で縮小した地図ＭＰ３ａを表示させる。このように車両１００の進行方向に地図Ｍｐ３ａを縮小して表示するのは、走行予定走路Ｌｎ２の更に先に存在する交差点ＣＲを含んだより遠くの領域を、車両１００の運転者が認識できるようにするためである。
【００６３】
図９を用いて、交差点ＣＲまでの距離が８０メートルから１５０メートルまでの距離である場合における画像表示について説明する。制御部２１は、センシング範囲表示画像ＣＩｍｇ３ｂとして、地図ＭＰ３ｂと、センシング範囲ＳＲ１とを表示装置６０に表示させる。センシング範囲ＳＲ１は、図８に示すセンシング範囲と同じであるので、詳細な説明は省略する。交差点ＣＲまでの距離が８０メートルから１５０メートルまでの距離である場合、車両１００の運転者に対して右左折のために減速開始を予告するタイミングである。したがって、制御部２１は、基準地図ＭＰを車両１００の進行方向（図９の上下方向）および車両１００の左右方向（図９の左右方向）のいずれに対しても拡大および縮小しない地図ＭＰ３ｂを表示させる。
【００６４】
図１０を用いて、交差点ＣＲまでの距離が８０メートルまでの距離である場合における画像表示について説明する。制御部２１は、センシング範囲表示画像ＣＩｍｇ３ｃとして、地図ＭＰ３ｃと、センシング範囲ＳＲ１とを表示装置６０に表示させる。センシング範囲ＳＲ１は、図８および図９に示すセンシング範囲と同じであるので、詳細な説明は省略する。交差点ＣＲまでの距離が８０メートルまでの距離である場合、右左折のために減速を開始するタイミングである。したがって、制御部２１は、基準地図ＭＰを車両１００の進行方向（図１０の上下方向）および車両１００の左右方向（図１０の左右方向）に対して所定の拡大率（例えば、２００％）で拡大した地図ＭＰ３ｃを表示させる。このように車両１００の進行方向および左右方向に地図Ｍｐ３ｃを拡大して表示するのは、車両１００が右左折を実行しようとする交差点ＣＲの状況を、車両１００の運転者が精度よく認識できるようにするためである。
【００６５】
以上の構成を有する第２実施形態の運転支援ＥＣＵ１０によれば、第１実施形態と同様の効果を奏する。加えて、車両１００の現在位置から交差点ＣＲまでの距離に応じて、センシング範囲画像ＳＲＩｍｇの表示態様を異ならせて表示装置６０に表示させるので、車両１００の走行状況に応じてセンシング範囲ＳＲ、ＳＲ１を適切に表示できる。
【００６６】
Ｃ．他の実施形態：
Ｃ１．他の実施形態１：
上記各実施形態において、制御部２１は、センシング範囲ＳＲ１に加えて、センシング可能範囲を表示してもよい。本実施形態において、「センシング可能範囲」とは、センサ部３０の製品仕様として予め定められているセンシング可能な範囲を意味する。
【００６７】
図１１に示すように、センシング範囲表示画像ＣＩｍｇ４には、センシング範囲ＳＲ１と、センシング可能範囲ＫＲと、が表示されている。図１１は、図６に示すセンシング範囲表示画像ＣＩｍｇ３に対して、さらに、センシング可能範囲ＫＲを表示した例を示している。なお、図１１では、スケール表示Ｓｃ３の図示を省略している。図１１に示す例では、センシング範囲ＳＲ１は、センシング可能範囲ＫＲよりも小さな領域である。これは、センシング可能範囲ＫＲ内で物体（物標）が検出された場合、ミリ波レーダ３１が射出するミリ波が検出された物体によって遮蔽されて、検出された物体からセンシング可能範囲ＫＲの外縁までの範囲ではセンシングが精度よく実行されないおそれがあるために、センシング範囲取得部２４は、検出された物体からセンシング可能範囲ＫＲの外縁までの範囲を、センシング範囲ＳＲ１として検出しないという理由からである。他方、センシング可能範囲ＫＲは、車両１００の周囲の物標の有無に関わらず、センサ部３０がセンシングできる範囲が表示される。
【００６８】
なお、車両１００の周囲に物体が存在しない場合には、センシング範囲ＳＲ１とセンシング可能範囲ＫＲとは略一致することになる。このように、センシング範囲ＳＲ１に加えて、センシング可能範囲ＫＲも表示装置６０に表示させることにより、車両１００の乗員は、センサ部３０がセンシングする範囲ＳＲ１と、センサ部３０がセンシングできる範囲ＫＲと、の両方を容易に認識できる。このような構成においても、上記各実施形態と同様な効果を奏する。
【００６９】
Ｃ２．他の実施形態２：
上記各実施形態において、制御部２１は、センシングできない範囲を塗りつぶして表示してもよい。
【００７０】
図１２に示すように、センシング範囲表示画像ＣＩｍｇ５では、走行予定走路Ｌｎ１およびセンシング範囲ＳＲ１を除く領域Ａｒ１、Ａｒ２が、センシング範囲ＳＲ１とは異なる色で塗りつぶされて表示されている。図１２では、領域Ａｒ１およびＡｒ２にハッチングを付すことにより、かかる領域Ａｒ１、Ａｒ２が塗りつぶされている様子を表している。領域Ａｒ１およびＡｒ２は、車両１００が走行しない領域であり、また、センサ部３０がセンシングできない領域である。このように、センシングできない領域Ａｒ１、Ａｒ２を塗りつぶして表示することにより、センシング範囲ＳＲ１を目立たせて表示できる。したがって、車両１００の乗員は、センシング範囲ＳＲ１と、センシングできない範囲とを容易に認識できる。
【００７１】
なお、領域Ａｒ１およびＡｒ２をセンシング範囲ＳＲ１とは異なる色で塗りつぶして表示する方法に代えて、または、加えて、領域Ａｒ１およびＡｒ２をぼかして表示してもよいし、センシング範囲ＳＲ１の輝度を領域Ａｒ１およびＡｒ２の輝度に比べて高くして表示してもよいし、センシング範囲ＳＲ１を点滅させて表示してもよい。また、走行予定走路Ｌｎ１のうちセンシング範囲ＳＲ１に含まれない部分の領域についても、領域Ａｒ１およびＡｒ２と同様に、センシング範囲ＳＲ１とは異なる色で塗りつぶして表示してもよい。このような構成においても、上記各実施形態と同様な効果を奏する。
【００７２】
Ｃ３．他の実施形態３：
上記他の実施形態１および他の実施形態２において、制御部２１は、センシングできない範囲を模式的に表示してもよい。
【００７３】
図１３に示すように、センシング範囲表示画像ＣＩｍｇ６には、センシングできない範囲ＭＲ１およびＭＲ２が表示されている。なお、図１３では、センシング範囲ＳＲ１の図示を省略している。センシングできない範囲ＭＲ１およびＭＲ２は、簡易的に表示されている。このため、車両１００の運転者は、センシングできていない範囲ＭＲ１およびＭＲ２を直感的に認識できる。かかる構成では、制御部２１は、センシングできない範囲ＭＲ１およびＭＲ２の安全確認を促す報知表示を表示してもよい。車両１００の運転者は、自身で安全確認を実施すべきであることと、安全確認を行うべき範囲とを容易に認識できる。このような構成においても、上記他の実施形態１および他の実施形態２と同様な効果を奏する。
【００７４】
Ｃ４．他の実施形態４：
上記第２実施形態において、交差点右左折表示処理において、制御部２１は、予め定められた３段階の距離に応じてセンシング範囲表示画像ＣＩｍｇの表示態様を切り替えていたが、本開示はこれに限定されない。例えば、予め定められた３段階の距離は、上述の例に限られず、他の任意の距離ごとに複数の段階を設定してもよい。また、例えば、３段階に代えて１段階に設定してもよい。かかる構成では、交差点ＣＲの直前（例えば、８０メートル）でのみ表示態様を切り替えてもよい。また、例えば、段階や距離を車両１００の乗員が入力部７０を介して設定できる構成にしてもよい。また、例えば、無段階に設定してもよい。かかる構成では、車両１００が交差点ＣＲに近づくにつれて基準地図ＭＰの拡大率を大きくして地図ＭＰ３を表示することにより、センシング範囲表示画像ＣＩｍｇの表示態様を切り替えてもよい。これにより、センシング範囲表示画像ＣＩｍｇ３の表示態様を連続的かつ滑らかに異ならせることができる。このような構成においても、上記第２実施形態と同様な効果を奏する。
【００７５】
Ｃ５．他の実施形態５：
上記第１実施形態および第２実施形態において、制御部２１は、車両１００が低速走行中である状況、および車両１００が交差点ＣＲを右折または左折する状況である場合に、地図ＭＰ２およびＭＰ３を拡大して表示していたが、本開示はこれに限定されない。例えば、車両１００が低速走行中である状況においてのみ地図ＭＰ２を拡大して表示してもよい。また、例えば、車両１００が交差点ＣＲを右折または左折する状況においてのみ地図ＭＰ３を拡大して表示してもよい。すなわち、一般には、車両１００が低速走行中である状況と、車両１００が交差点ＣＲを右折または左折する状況と、のうちの少なくとも一方の場合に、地図ＭＰ２および地図ＭＰ３を拡大して表示してもよい。このような構成においても、上記第１実施形態および第２実施形態と同様な効果を奏する。
【００７６】
Ｃ６．他の実施形態６：
上記他の実施形態５において、車両１００が低速走行中である状況と、車両１００が交差点ＣＲを右折または左折する状況と、のうちの少なくとも一方の場合に、地図ＭＰ２および地図ＭＰ３を拡大して表示していたが、本開示はこれに限定されない。例えば、車両１００が高速走行中である状況の場合に、地図ＭＰ１を拡大して表示してもよい。また、例えば、車両１００が交差点ＣＲを直進する状況の場合に、地図ＭＰ３を拡大して表示してもよい。また、例えば、車両１００が低速走行中である状況の場合や、車両１００が交差点ＣＲを右折または左折する状況の場合に、地図ＭＰ２、ＭＰ３を拡大して表示しなくてもよい。このような構成においても、上記他の実施形態５と同様な効果を奏する。
【００７７】
Ｃ７．他の実施形態７：
上記各実施形態では、左側通行におけるセンシング範囲表示処理について説明したが、右側通行においてもセンシング範囲表示処理は適用できる。
【００７８】
Ｃ８．他の実施形態８：
上記各実施形態において、制御部２１は、車両１００の速度や、交差点ＣＲまでの距離に限らず、他の任意の種類の走行状況に応じてセンシング範囲表示画像の表示態様を切り替えてもよい。例えば、走行中の走路の種別に応じてセンシング範囲表示画像の表示を切り替えてもよい。具体的には、車両１００が高速道路を走行中である場合に直進高速時表示処理によるセンシング範囲表示画像を表示し、車両１００が一般道路を走行中である場合に直進低速時表示によるセンシング範囲表示画像を表示してもよい。また、例えば、車両１００が車線変更を行う状況である場合に、直進高速時表示処理によるセンシング範囲表示画像を表示してもよい。また、例えば、車両１００が走行中の時間帯が夜間である場合や、車両１００の現在位置における天気が降雨あるいは降雪である場合に、直進低速時表示処理によるセンシング範囲表示画像を表示してもよい。すなわち、一般には、車両１００の走行状況に応じた表示態様でセンシング範囲画像を表示してもよい。このような構成においても、上記各実施形態と同様な効果を奏する。
【００７９】
Ｃ９．他の実施形態９：
上記第１実施形態において、制御部２１は、車両１００の速度が所定値（時速４０キロメートル）以下である場合と、車両１００の速度が所定値（時速４０キロメートル）よりも大きい場合と、の１段階でセンシング範囲表示画像ＣＩｍｇ１、ＣＩｍｇ２の表示態様を異ならせて表示していたが、本開示はこれに限定されない。例えば、多段階の車速ごとにセンシング範囲表示画像の表示態様を切り替えて表示してもよい。また、例えば、無段階の車速ごとにセンシング範囲表示画像の表示態様を切り替えて表示してもよい。かかる構成では、車両１００の速度が大きくなるにつれて基準地図ＭＰの拡大率を小さくしてセンシング範囲表示画像を表示してもよい。このようにすることで、センシング範囲表示画像の表示態様を車速に応じて連続的かつ滑らかに切り替えることができる。このような構成においても、上記第１実施形態と同様な効果を奏する。
【００８０】
Ｃ１０．他の実施形態１０：
上記各実施形態において、ソフトウェアによって実現された機能及び処理の一部又は全部は、ハードウェアによって実現されてもよい。また、ハードウェアによって実現された機能及び処理の一部又は全部は、ソフトウェアによって実現されてもよい。ハードウェアとしては、例えば、集積回路、ディスクリート回路、または、それらの回路を組み合わせた回路モジュールなど、各種回路を用いてもよい。また、本開示の機能の一部または全部がソフトウェアで実現される場合には、そのソフトウェア（コンピュータプログラム）は、コンピュータ読み取り可能な記録媒体に格納された形で提供することができる。「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。すなわち、「コンピュータ読み取り可能な記録媒体」とは、データパケットを一時的ではなく固定可能な任意の記録媒体を含む広い意味を有している。
【００８１】
本開示は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００８２】
１０  運転支援装置、２３  走行状況特定部、２４  センシング範囲取得部、２６  地図情報取得部、２１  制御部、３０  センサ部、１００  車両、Ｌｎ  走行予定走路、Ｌｎ１  走行予定走路、Ｌｎ３  走行予定走路、ＭＰ  地図、ＭＰ１  地図、ＭＰ２  地図、ＭＰ３  地図、ＭＰ３ａ  地図、ＭＰ３ｂ  地図、ＭＰ３ｃ  地図、ＳＲ  センシング範囲、ＳＲ１  センシング範囲、ＳＲＩｍｇ  センシング範囲画像
【図１】
2019200461.tif 000003
【図２】
2019200461.tif 000004
【図３】
2019200461.tif 000005
【図４】
2019200461.tif 000006
【図５】
2019200461.tif 000007
【図６】
2019200461.tif 000008
【図７】
2019200461.tif 000009
【図８】
2019200461.tif 000010
【図９】
2019200461.tif 000011
【図１０】
2019200461.tif 000012
【図１１】
2019200461.tif 000013
【図１２】
2019200461.tif 000014
【図１３】
2019200461.tif 000015